(57)【要約】【課題】被写体を照明する照明器具を三脚等の支持体上に取り付けるとき、照明器具の発光部をリフレクターの中心に可及的に近づけ得る使い勝手がよい雲台を提供する。【解決手段】被写体を照明する照明器具１０を三脚等の支持体２上に取り付けるための雲台１を、該支持体上に固定する取付台部３と、その上に取り付ける固定用アタッチメント４により構成する。該アタッチメントは、照明器具の固定座５を設けた基部４ａに、該固定座上の照明器具を迂回して上方に延びる支持腕４ｂを連設したものとし、支持腕における腕先端部に、リフレクター１１の中心部の軸棒１１ａを固定する固定孔４ｃを開設し、基部に設けた照明器具の固定座と、支持腕における固定孔との位置的関係を、固定座に固定した照明器具の発光部１０ａが固定孔に取り付けたリフレクターの中心部に隣接配置されるように設定する。【選択図】図１
2016054133.tif 000002
【特許請求の範囲】
【請求項１】
被写体を照明するための照明器具を支持体上に取り付けるための雲台であって、
上記支持体上に固定する取付台部を備え、
該取付台部上に、上記照明器具の固定座を設けた基部に該固定座上の照明器具を迂回して上方に向かって延びる屈曲腕型の支持腕を連設した固定用アタッチメントにおける上記基部を着脱自在に取り付け、
上記支持腕における腕先端部に、上記被写体側に集光する反射面を備えたリフレクターの中心部の軸棒を固定する固定孔を開設し、
上記支持腕の基部に設けた上記照明器具の固定座と上記支持腕における固定孔との位置的関係を、該固定座に固定した照明器具の発光部が上記固定孔に取り付けたリフレクターの中心部に隣接配置するように設定している、
ことを特徴とする雲台。
【請求項２】
上記固定用アタッチメントの支持腕において上方に向かって延びる中間部位に、同構造の他の固定用アタッチメントの支持腕の背面を当接させて着脱自在に固定した、
ことを特徴とする請求項１に記載の雲台。
【請求項３】
被写体を照明するための一対の照明器具を支持体上に取り付けるための雲台であって、
上記支持体上に固定する取付台部を備え、
該取付台部上に、上記照明器具の固定座を両端にそれぞれ設けてなる基板の中央から上方に向かって支持板を立設した固定用アタッチメントの上記基板における中央を着脱自在に取り付け、
上記支持板における上端部に、上記被写体側に集光する反射面を備えたリフレクターの中心部の軸棒を固定する固定孔を開設し、
上記基板の両端に設けた上記照明器具の固定座と上記支持板における固定孔との位置的関係を、該固定座に固定した照明器具の発光部が上記固定孔に取り付けたリフレクターの中心部に配置されるように設定している、
ことを特徴とする雲台。
【請求項４】
上記固定用アタッチメントに取り付けられる照明器具が、その発光部を被写体側に向け、その操作部を該発光部とは逆の方向に向けて取付可能なクリップオンストロボである、
ことを特徴とする請求項１〜３のいずれかに記載の雲台。
【請求項５】
上記取付台部が、固定用アタッチメントに取り付けた照明器具における照明方向の傾斜を調整する機能を備えたものである、
ことを特徴とする請求項１〜４のいずれかに記載の雲台。
【発明の詳細な説明】
【技術分野】
【０００１】
本発明は、主として、写真・テレビ・映画撮影等の被写体を照明するための照明器具を固定用アタッチメントを介して三脚やスタンド上に取り付けるための雲台に関するものである。
【背景技術】
【０００２】
従来から、三脚やスタンド等の支持体上に設置する雲台は、照明器具等を俯角あるいは仰角等を調整可能に取り付けるために多用されているが、該雲台を、照明器具を傘型等の凹反射面を有するリフレクターと共に被写体に対して適切な照明位置に配置するために使用する場合、一般的には、上記三脚等の支持体上に直接的に取り付ける雲台の取付台部自体、特に上記支持体に近い位置に、上記リフレクターの中心部の軸棒を挿通して固定する固定孔を開設したものが汎用されている。これは、上記リフレクターが支持体に比して比較的大型で重量も重く、それを支持体に安定的に支持させるためには、可及的に支持体の中心に近い位置で該支持体の中心にリフレクターの重心が位置するように取り付けるのが望ましいからと考えられる。
【０００３】
しかしながら、上述したような構成では、ストロボ等の上記照明器具の固定座が、リフレクターが取り付けられる取付台部から比較的大きく離れた部位に設けられることから、該照明器具の発光部がリフレクターの凹反射面の中心から外れたところに位置し、適切な照明が困難になったり、照明器具自体がリフレクターに接触して固定座に照明器具が固定できず、或いは照明器具が発する熱により危険な状態になる可能性もあり、ユーザーの使い勝手の観点から望ましいものではない。
【発明の概要】
【発明が解決しようとする課題】
【０００４】
本発明の技術的課題は、写真・テレビ・映画撮影等の被写体を照明するための照明器具を固定用アタッチメントを介して三脚やスタンド等の支持体上に取り付けるに当たり、上記照明器具の発光部をリフレクターの反射面の中心に可及的に近づけるようにし、上記反射面の中心から外れたところに位置して適切な照明が困難になったり、照明器具自体がリフレクターに接触してその照明器具の取り付けを困難にするようなことがなく、ユーザーにおいて使い勝手がよい雲台を可及的に簡易な構成のものとして提供することにある。
【課題を解決するための手段】
【０００５】
上記課題を解決するため、本発明によれば、被写体を照明するための照明器具を支持体上に取り付けるための雲台であって、上記支持体上に固定する取付台部を備え、該取付台部上に、上記照明器具の固定座を設けた基部に該固定座上の照明器具を迂回して上方に向かって延びる屈曲腕型の支持腕を連設した固定用アタッチメントにおける上記基部を着脱自在に取り付け、上記支持腕における腕先端部に、上記被写体側に集光する反射面を備えたリフレクターの中心部の軸棒を固定する固定孔を開設し、上記支持腕の基部に設けた上記照明器具の固定座と上記支持腕における固定孔との位置的関係を、該固定座に固定した照明器具の発光部が上記固定孔に取り付けたリフレクターの中心部に隣接配置するように設定していることを特徴とする第１の雲台が提供される。
【０００６】
本発明に係る上記第１の雲台の好ましい実施形態においては、上記固定用アタッチメントの支持腕において上方に向かって延びる中間部位に、同構造の他の固定用アタッチメントの支持腕の背面を当接させて着脱自在に固定することができる。
【０００７】
また、上記課題を解決するため、本発明によれば、被写体を照明するための一対の照明器具を支持体上に取り付けるための雲台であって、上記支持体上に固定する取付台部を備え、該取付台部上に、上記照明器具の固定座を両端にそれぞれ設けてなる基板の中央から上方に向かって支持板を立設した固定用アタッチメントの上記基板における中央を着脱自在に取り付け、上記支持板における上端部に、上記被写体側に集光する反射面を備えたリフレクターの中心部の軸棒を固定する固定孔を開設し、上記基板の両端に設けた上記照明器具の固定座と上記支持板における固定孔との位置的関係を、該固定座に固定した照明器具の発光部が上記固定孔に取り付けたリフレクターの中心部に配置されるように設定していることを特徴とする第２の雲台が提供される。
【０００８】
本発明に係る上記第１及び第２の雲台の好ましい実施形態においては、上記固定用アタッチメントに取り付けられる照明器具が、その発光部を被写体側に向け、その操作部を該発光部とは逆の方向に向けて取付可能なクリップオンストロボであることが望まれ、また上記取付台部が、固定用アタッチメントに取り付けた照明器具における照明方向の傾斜角を調整する機能を備えたものであることが望まれる。
【発明の効果】
【０００９】
以上に詳述した本発明の雲台によれば、写真・テレビ・映画撮影等の被写体を照明するための照明器具を固定用アタッチメントを介して三脚やスタンド等の支持体上に取り付けるに当たり、上記照明器具の発光部をリフレクターの反射面の中心に可及的に近づけるようにし、上記反射面の中心から外れたところに位置して適切な照明が困難になったり、照明器具自体がリフレクターに接触してその照明器具の取り付けを困難にするようなことがなく、ユーザーにおいて使い勝手がよい雲台を可及的に簡易な構成のものとして提供することができる。
【図面の簡単な説明】
【００１０】
【図１】本発明に係る雲台の第１実施例の正面図である。
【図２】同第１実施例の側面図である。
【図３】同第１実施例の異なる組付態様を示す正面図である。
【図４】同第１実施例の使用状態を例示する側面図である。
【図５】同第１実施例の使用状態を例示する背面図である。
【図６】本発明に係る雲台の第２実施例の正面図である。
【図７】同第２実施例の側面図である。
【図８】同第２実施例の使用状態を例示する側面図である。
【図９】同第２実施例の使用状態を例示する背面図である。
【図１０】異なるリフレクターを用いた上記第２実施例の使用状態を例示する側面図である。
【発明を実施するための形態】
【００１１】
図１〜図５は、本発明に係る雲台の第１実施例を示している。この雲台１は、写真・テレビ・映画撮影等の被写体を照明するためのストロボ等の照明器具１０を、三脚やスタンド等の支持体２上に取り付けるためのもので、図４及び図５から分かるように、三脚等の支持体２上に固定する取付台部３と、該取付台部３上に着脱自在に取り付ける固定用アタッチメント４とを主たる構成要素として備えるものである。
【００１２】
上記支持体２上にねじ３ａで取り付けられる取付台部３は、以下に詳述する固定用アタッチメント４に取り付けた照明器具１０やリフレクター１１による照明方向の俯角又は仰角を調整する機能を備えると共に、支持体２における鉛直支持軸の軸線周りにおける照明方向を調整可能にするための汎用のものである。
ここではその一例として、図１及び図２に示すように、上記支持体２の上端に回転自在に取付可能とした受け部材３ｂ上の凹部に対し、上記固定用アタッチメント４の取付用台座３ｃと短軸３ｄで連結した球状の傾動部材３ｅを嵌入して、該傾動部材３ｅを固定ねじ３ｆにより任意姿勢で固定し、それにより上記取付用台座３ｃが任意姿勢をとるように固定可能にしたものを示しているが、かかる構造に限らず、同様な機能を有する任意構造のものを採用することができる。
【００１３】
一方、上記固定用アタッチメント４は、上記取付台部３に対し、その取付用台座３ｃ上に突出させた取付ねじ（図示省略）により着脱自在に取り付けられるもので、該取付用台座３ｃ上に固定されるところの固定用アタッチメント４の基部４ａには屈曲腕型の支持腕４ｂを一体に連設している。そして、上記基部４ａ上には上記照明器具１０をねじ５ａで固定するための汎用の固定座５を設け、また上記屈曲腕型の支持腕４ｂは、上記基部４ａ上の固定座５に取り付ける照明器具１０を迂回して、該照明器具１０に沿う近接位置で上方に向かって延びるように形成し、該支持腕４ｂの先端に近い部位にリフレクター１１の中心部の軸棒１１ａを挿通して固定ねじ４ｄで固定する固定孔４ｃを開設している。上記固定孔４ｃは、屈曲腕型の支持腕４ｂの上方に向かって延びる部位に対して直交し、しかも、通常は上記固定座５に取り付ける照明器具１０の照射方向の中心軸線とほぼ平行する方向に向けて開設されたものである。
【００１４】
上記支持腕４ｂの基部４ａに設けた上記固定座５に取り付けている照明器具１０の発光部１０ａを被写体側に向けたときに、該発光部１０ａと上記支持腕４ｂにおける固定孔４ｃとの位置的関係は、図４及び図５から分かるように、該発光部１０ａが上記固定孔４ｃに取り付けたリフレクター１１の中心部の軸棒１１ａに隣接配置されるように設定している。
このような位置に上記屈曲腕型の支持腕４ｂにリフレクター１１の固定孔４ｃを設けると、照明器具１０を三脚やスタンド等の支持体２上に取り付けるに当たり、上記照明器具１０の発光部１０ａをリフレクター１１の反射面の中心に可及的に近づけることができ、上記照明器具１０が反射面の中心から外れたところに位置して適切な照明が困難になったり、照明器具１０自体がリフレクター１１に接触してその照明器具１０の取り付けを困難にするようなことはない。
【００１５】
上記リフレクター１１としては、図４及び図５に示す例では、中心に軸棒１１ａを有する傘骨状の支持部材１１ｂにより全体として略角錐状をなすように反射シート１１ｃを張設し、その反射シート１１ｃにおける上記角錐状の頂部側を開口させて、その開口の周囲に照明器具１０を覆うための可撓性ある筒状カバー１１ｄを連接し、一方、上記反射シート１１ｃの被写体側には、投射光を拡散させるディフューザスクリーン１１ｅを付しているが、かかる構造は、利用できるリフレクターの一例を示すものであって、それに限ることなく、例えば、図１０に示しているように、洋傘型で内側が反射面になっているリフレクター１２を用い、上記第１実施例の場合と同様な位置にある後記第２実施例の固定用アタッチメント６における固定孔６ｃに、上記リフレクター１２の反射面を照明器具１０の発光部１０ａに対面させるように軸棒１２ａを挿通して、それをねじ固定することもできる。
【００１６】
なお、上述の実施例では、上記固定用アタッチメント４に設けた固定座５に取り付ける照明器具１０として、その発光部１０ａを被写体側に向け、その操作部１０ｂを該発光部とは逆の方向に向けて取り付けたクリップオンストロボとして示しているが、それに限られるものではない。
また、図中の符号１６は、ストロボ等の照明器具１０を固定座５に着脱する際に誤って取り落とすことが多いので、その防止のために照明器具１０等をチェーン等で連結しておくための落下防止用ヒートンを示している。
【００１７】
図３は、上記第１実施例の雲台の一部の組み付けを変化させ、被写体の全部又は一部を一対の照明器具１０により、より強力に照明するのに適したものとする場合等に用いる変形例を示し、例えば、強力な直射日光のもとで被写体の一部に生じる暗影をある程度除去する場合等に好適なものである。
この変形例は、上記一対の照明器具１０を上記支持体２上に取り付けるものであるが、その具体的構成は、上記第１実施例における固定用アタッチメント４の支持腕４ｂの上方に向かって延びる中間部位にねじ孔４ｅを設けて、同構造の別途用意した固定用アタッチメント４の支持腕４ｂとその背面同士を相互に当接させ、両ねじ孔４ｅに別途用意した連結ねじ４ｆを螺挿して、該一対の固定用アタッチメント４を着脱自在に固定したものである。なお、図３中においては、第１実施例と共通する部分に同一の符号を付している。
【００１８】
上記図３の変形例のようにして、前記第１実施例の雲台１を、一対の照明器具１０が取付可能なものとして利用することもできるが、一対の照明器具１０を取り付けた状態で使用する頻度が高ければ、以下に詳述する第２実施例の雲台を用いるのが望ましい。
なお、上述した図３の変形例のように使用するために固定用アタッチメント４に設けたねじ孔４ｅは、それを利用しない場合には図２に示すようにねじ１５で閉鎖しておくのが望ましい。
【００１９】
図６〜図１０は、本発明に係る雲台の第２実施例を示すものであるが、この第２実施例は、図３を参照して上述したような一対の固定用アタッチメント４を用いることなく、その構成を以下に説明する単一の固定用アタッチメント６によって得られるようにしたものである。
即ち、図６及び図７に示す第２実施例の雲台１は、被写体をより強く照明するための一対の照明器具１０を支持体２上に取り付けるためのもので、第１実施例と同様な、上記支持体２上に固定する取付台部３等を備えているので、それらの第１実施例と共通する部分については、図中に第１実施例と同一の符号を付し、以下においてはそれらの説明を省略する。
【００２０】
この第２実施例において、第１実施例と相違する主たる構成は、取付台部３上に取り付けている固定用アタッチメント６の構成にあり、具体的には、該固定用アタッチメント６が、一対の照明器具１０の固定座５を両端にそれぞれ設けてなる基板６ａの中央から上方に向かって支持板６ｂを立設することにより構成されている。該固定用アタッチメント６の上記基板６ａにおける中央を着脱自在に取り付けている取付構造や、基板６ａの両端に取り付けている一対の照明器具１０の固定座５の構成等は、第１実施例と実質的に変わるところはない。
【００２１】
また、上記支持板６ｂにおける上端部には、上記被写体側に集光する反射面を備えたリフレクター１１の中心部の軸棒１１ａを挿通して固定ねじ６ｄで固定する固定孔６ｃを開設し、上記基板６ａの両端に設けた上記照明器具１０の固定座５と上記支持板６ｂにおける上記固定孔６ｃとの位置的関係を、該固定座５に固定した照明器具１０の発光部１０ａが上記固定孔６ｃに取り付けたリフレクター１１の中心部の両側に近接配置されるように設定している。
【００２２】
以上に詳述したように、本発明の雲台によれば、照明器具１０を固定用アタッチメント４又は６を介して三脚やスタンド等の支持体２上に取り付けるに当たり、上記照明器具の発光部１０ａをリフレクターの中心に可及的に近づけて取り付けることができ、照明器具がリフレクターの中心から外れたところに位置して適切な照明が困難になったり、照明器具自体がリフレクターに接触してその照明器具の取り付けを困難にするようなこともなく、結果的に、ユーザーにおいて使い勝手がよい雲台を可及的に簡易な構成のものとして提供することができる。
【符号の説明】
【００２３】
１    雲台
２    支持体
３    取付台部
４，６    固定用アタッチメント
４ａ      基部
４ｂ      支持腕
４ｃ      固定孔
５    固定座
１０    照明器具
１１    リフレクター
１１ａ    軸棒
【図１】
2016054133.tif 000003
【図２】
2016054133.tif 000004
【図３】
2016054133.tif 000005
【図４】
2016054133.tif 000006
【図５】
2016054133.tif 000007
【図６】
2016054133.tif 000008
【図７】
2016054133.tif 000009
【図８】
2016054133.tif 000010
【図９】
2016054133.tif 000011
【図１０】
2016054133.tif 000012